(57)【要約】【課題】センサの露出を抑えることができる照明器具を提案する。【解決手段】照明器具１は、前壁２０を有する箱型の器具本体２と、器具本体２に設置され、前壁２０の前方に向けて照明光を放射する光源ユニット３と、前壁２０に設置されて周囲の状況を検出するセンサ４と、を備える。照明器具１は、前壁２０の前方に設けられ、器具本体２の前方から見て光源ユニット３及びセンサ４を覆うカバー５を更に備える。【選択図】図１
2020161421.tif 000002
【特許請求の範囲】
【請求項１】
前壁を有する箱型の器具本体と、
前記器具本体に設置され、前記前壁の前方に向けて照明光を放射する光源ユニットと、
前記前壁に設置されて周囲の状況を検出するセンサと、
前記前壁の前方に設けられ、前記器具本体の前方から見て前記光源ユニット及び前記センサを覆うカバーと、を備える、
照明器具。
【請求項２】
前記光源ユニットの前方に設けられて前記照明光を拡散させる拡散部材を備え、
前記拡散部材は、前記前壁から前方に向けて突出し、かつ後方に向けて開口したドーム状に形成され、
前記センサの少なくとも前部分が前記前壁から前方へ突出しており、
前記センサの前端は、前記拡散部材の前端よりも後方に位置する、
請求項１に記載の照明器具。
【請求項３】
前記センサは、
箱型のケースと、前記ケースに収容されるセンサ本体と、を有し、
前記ケースの前面は、前記拡散部材に近い部分ほど前記前壁からの突出長さが小さい、
請求項２に記載の照明器具。
【請求項４】
前記器具本体の後面は、建物の壁側を向く面であり、
前記センサの前記前部分は、前記拡散部材よりも上方に配置されている、
請求項２又は３に記載の照明器具。
【請求項５】
前記センサは、電波を利用して周囲の状況を検出するように構成され、
前記カバーは、前記電波を透過可能な材料で形成されている、
請求項１から４のいずれか一項に記載の照明器具。
【請求項６】
前記センサの検出結果に応じて前記光源ユニットを制御する制御装置を備え、
前記センサは、周囲の状況として人の存在を検出する人感センサであり、
前記制御装置は、前記センサが人の存在を検出していないときに前記照明光の光量を基準値よりも小さくし、かつ、前記センサが人の存在を検出しているときに前記照明光の光量を前記基準値に一致させるように前記光源ユニットを制御する、
請求項１から５のいずれか一項に記載の照明器具。
【請求項７】
常用電源から供給される常用電力で前記光源ユニットを点灯させる常用点灯装置と、
前記常用電力で充電される非常用電源と、
前記常用電源の停電時に前記非常用電源から供給される非常用電力で点灯する非常用光源ユニットと、を備え、
前記常用点灯装置、前記非常用電源及び前記非常用光源ユニットは、前記器具本体に収容されている、
請求項１から６のいずれか一項に記載の照明器具。
【請求項８】
前記器具本体の後面は、建物の壁側を向く面であり、
前記非常用光源ユニットは、前記器具本体の下面から前記器具本体の下方に向けて照明光を放射するように構成される、
請求項７記載の照明器具。
【発明の詳細な説明】
【技術分野】
【０００１】
本開示は、照明器具に関する。
【背景技術】
【０００２】
特許文献１には、照明器具が記載されている。この照明器具は、箱状の器具本体と、器具本体に取り付けられるＬＥＤモジュールと、ＬＥＤモジュールを覆うカバーと、人を検知するセンサとを備える。この照明器具では、センサは、カバーよりも下側に位置するように、器具本体に取り付けられている。
【先行技術文献】
【特許文献】
【０００３】
【特許文献１】特開２０１７−２０１６１４号公報
【発明の概要】
【発明が解決しようとする課題】
【０００４】
ところで、特許文献１に記載の照明器具では、センサが露出しており、そのため、見栄えの面で改善の余地がある。
【０００５】
上記事情に鑑みて、本開示は、センサの露出を抑えることができる照明器具を提案することを、目的とする。
【課題を解決するための手段】
【０００６】
本開示に係る一態様の照明器具は、前壁を有する箱型の器具本体と、前記器具本体に設置され、前記前壁の前方に向けて照明光を放射する光源ユニットと、前記前壁に設置されて周囲の状況を検出するセンサと、を備える。一態様の照明器具は、前記前壁の前方に設けられ、前記器具本体の前方から見て前記光源ユニット及び前記センサを覆うカバーを更に備える。
【発明の効果】
【０００７】
本開示に係る一態様の照明器具は、センサの露出を抑えることができる。
【図面の簡単な説明】
【０００８】
【図１】図１は、一実施形態の照明器具を示す斜視図である。
【図２】図２は、同上の照明器具を示す一部破断した側面図である。
【図３】図３は、同上の照明器具のカバーを付け外しする様子を示す斜視図である。
【図４】図４は、同上の照明器具の変形例を示す斜視図である。
【図５】図５は、同上の照明器具の変形例を示す下面図である。
【発明を実施するための形態】
【０００９】
１．概要
図１及び図２に示す一実施形態の照明器具１は、前壁２０を有する箱型の器具本体２と、器具本体２に設置され、前壁２０の前方に向けて照明光を放射する光源ユニット３と、前壁２０に設置されて周囲の状況を検出するセンサ４と、を備える。照明器具１は、前壁２０の前方に設けられ、器具本体２の前方から見て光源ユニット３及びセンサ４を覆うカバー５を更に備える。
【００１０】
上記構成を備えることで、照明器具１では、器具本体２の前方から見たときに、センサ４がカバー５で覆われているため、センサ４の露出を抑えることができる。
【００１１】
２．詳細
続いて、一実施形態の照明器具１について更に詳しく説明する。図１及び図２に示す照明器具１は、非常灯及び階段通路誘導灯を兼用する照明器具である。照明器具１は、例えば、集合住宅の共用部の廊下や、階段の踊り場の壁に設置される。ただし、照明器具１は、非常灯及び階段通路誘導灯を兼用する照明器具に限定されない。
【００１２】
以下では、図１に矢印で示す前後、上下及び左右方向を用いて、照明器具１の各構成について説明する。照明器具１は、器具本体２の後面が建物の壁側を向くように、壁に取り付けられる。
【００１３】
照明器具１は、図１及び図２に示すように、器具本体２、光源ユニット３、センサ４、及びカバー５に加えて、拡散部材６、制御装置７、常用点灯装置８、非常用電源９、及び非常用光源ユニット１０を備える。
【００１４】
器具本体２は、正方形板状の前壁２０及び後壁２１と、長方形板状の上壁２２、下壁２３、左右一対の側壁２４とを有している。後壁２１の上端から上壁２２が前方に突出し、後壁２１の下端から下壁２３が前方に突出し、後壁２１の左端と右端のそれぞれから側壁２４が前方に突出している。上壁２２の左右両端と左右一対の側壁２４の上端とがつながっており、下壁２３の左右両端と左右一対の側壁２４の下端とがつながっている。後壁２１、上壁２２、下壁２３、及び左右一対の側壁２４は、例えば、一枚の金属板によって一体に形成される。
【００１５】
図３に示すように、左右一対の側壁２４のそれぞれの前端部には、左右方向内側に突出した突出片２４０と、突出片２４０の一部から前側にＬ字状に突出した取付台２４１とが設けられている。前壁２０は、左右一対の取付台２４１にねじ等の固定具で固定されることで、後壁２１、上壁２２、下壁２３、及び左右一対の側壁２４によって囲まれた空間（器具本体２の内部空間）の前方に配置される。前壁２０の左右の端部と左右一対の突出片２４０との間には、器具本体２へのカバー５の取り付けに用いられる差込溝２５が形成されている。差込溝２５は、左右方向外側と上側に向けて開放されている。前壁２０は、例えば、金属板で形成される。
【００１６】
前壁２０は、前壁２０の上部を前後方向に貫通する設置孔２００を有する。設置孔２００は、前壁２０の上部のうち左右方向の中央部に位置する。後壁２１の後面（器具本体２の後面）は、建物の壁側を向く面である。
【００１７】
カバー５は、正方形状の前板５０と、長方形状の左右一対の側板５１とを有する。カバー５は、前板５０の上端部と一対の側板５１の上端部とで囲まれた上開口部５２と、前板５０の下端部と一対の側板５１の下端部とで囲まれた下開口部５３とを有する。
【００１８】
左右一対の側板５１は、前板５０の左右の端部から後方に突出している。左右一対の側板５１のそれぞれの後端からは、左右方向内側に向かって差込片５１０が突出している。カバー５は、左右一対の差込片５１０を、器具本体２の左右一対の差込溝２５に上方から差し込むことで、器具本体２に着脱可能に装着される。
【００１９】
カバー５は、センサ４の電波を透過可能な材料で形成されている。本実施形態では、カバー５は、アクリル樹脂又はポリカーボネート樹脂等の合成樹脂によって形成されており、透光性を有している。そのため、カバー５は、光源ユニット３から放射される光が透過可能である。なお、カバー５は、上記の合成樹脂に拡散材を混入したもので形成されてもよい。
【００２０】
図２に示すように、光源ユニット３は、光源３０と、光源３０から放射される光の配光を制御するレンズ３１を有する。光源３０は、例えば、照明用白色ＬＥＤ（Ｌｉｇｈｔ  Ｅｍｉｔｔｉｎｇ  Ｄｉｏｄｅ）である。レンズ３１は、透光性を有する材料で形成される。レンズ３１は、例えば、ガラス（石英ガラス等）や、ポリカーボネート樹脂又はアクリル樹脂等の合成樹脂で形成される。光源ユニット３は、図１及び図２に示すように、器具本体２の前壁２０の前面の中央部に取り付けられる。
【００２１】
拡散部材６は、光源ユニット３の前方に設けられて光源ユニット３が放射する照明光を拡散させる部材である。拡散部材６は、本実施形態では、器具本体２の前壁２０から前方に向けて突出し、かつ後方に向けて開口したドーム状に形成されている。
【００２２】
詳しくは、拡散部材６は、ドーム状の本体部６０と、円環状のフランジ部６１とを有する。本体部６０は、中空の半球状体であり、前方に突出し、後方に開口している。本体部６０は、光源ユニット３を覆い隠すことの可能な大きさに形成されている。フランジ部６１は、本体部６０の後端部の周縁から外向きに突出している。
【００２３】
拡散部材６は、アクリル樹脂又はポリカーボネート樹脂等の透光性を有する合成樹脂に拡散材を混入して形成されている。拡散部材６は、フランジ部６１をねじ等の固定具６２で前壁２０に固定することで、前壁２０の前面の中央部に取り付けられる。拡散部材６のフランジ部６１の上端は、設置孔２００に隣接して位置する。
【００２４】
光源３０から放射される光は、レンズ３１によって配光制御されて、器具本体２の前方に向かって上下及び左右方向に広がるように進行する。レンズ３１から出射する光は、拡散部材６によって拡散され、これにより、拡散部材６から出射する光の均斉度の向上が図られる。
【００２５】
光源ユニット３の光源３０には、常用点灯装置８が電気的に接続される。常用点灯装置８は、商用の電力系統等の常用電源から供給される常用電力で光源ユニット３の光源３０を点灯させる。
【００２６】
常用点灯装置８は、ケースとその内側に収容されるプリント回路とを有する。プリント回路は、常用電源から供給される交流電力を直流電力に変換する電力変換回路、及び光源３０に供給する直流電流を定電流化する定電流回路等を構成している。常用点灯装置８は、前壁２０の後面にねじ等の固定具８０で取り付けられる。常用点灯装置８は、器具本体２内に収容されている。
【００２７】
非常用光源ユニット１０は、器具本体２の下面から器具本体２の下方に向けて照明光を放射するように構成されている。非常用光源ユニット１０は、器具本体２内に収容されている。
【００２８】
図２に示すように、非常用光源ユニット１０は、光源１００と、光源１００から放射される光の配光を制御するレンズ１０１を有する。光源１００は、例えば、照明用白色ＬＥＤである。非常用光源ユニット１０は、器具本体２の下壁２３に取り付けられる。図１及び図２に示すように、下壁２３の下面の中央部には、器具本体２の内部に向かって（つまり上方に向かって）凹んだ凹所２３０が設けられている。凹所２３０の底面２３１には、円形の孔２３２が貫通している。凹所２３０の側面２３３は、円すい台の側面に相当する形状に形成されている。
【００２９】
レンズ１０１は、透光性を有する材料で形成される。レンズ１０１は、例えば、ガラス（石英ガラス等）や、ポリカーボネート樹脂又はアクリル樹脂等の合成樹脂で形成される。非常用光源ユニット１０は、レンズ１０１の一部（下部）が孔２３２を通って器具本体２の外側（下側）に突出するように、下壁２３に取り付けられている。レンズ１０１から出射する光の一部は、凹所２３０の側面２３３によって反射される。
【００３０】
非常用光源ユニット１０の光源１００には、非常用点灯装置１１が電気的に接続される。
【００３１】
非常用電源９は、電気的に直列接続された複数の電池セルを有する。複数の電池セルの各々は、例えば、ニッケル・水素蓄電池である。非常用電源９には、充電装置が電気的に接続されている。充電装置は、常用電源から供給される交流電力を直流電力に変換し、変換した直流電力を非常用電源９に供給する。つまり、非常用電源９は、常用電源から供給される常用電力で充填される。非常用電源９及び充電装置は、器具本体２内に収容されている。
【００３２】
非常用点灯装置１１は、常用電源の停電時に、非常用電源９から供給される非常用電力（直流電力）によって非常用光源ユニット１０を点灯させる。言い換えると、非常用光源ユニット１０は、常用電源の停電時に、非常用電源９から供給される非常用電力（直流電力）で点灯する。非常用点灯装置１１は、器具本体２内に収容されている。
【００３３】
センサ４は、本実施形態では、電波を利用して周囲の状況を検出するように構成されている。本実施形態では、センサ４は、周囲の状況として人の存在を検出する人感センサである。
【００３４】
センサ４は、例えば、ドップラー効果を利用した電波式センサである。センサ４は、マイクロ波帯（２４ＧＨｚ帯）の無変調連続波の電波（送信波）を送信する送信アンテナと、物体に反射した電波（反射波）を受信する受信アンテナと、を有する。送信波が人で反射した場合、ドップラー効果によって送信波と反射波の間に人の移動速度に応じた周波数差が生じる。センサ４は、前記周波数差に基づいて人（例えば階段を昇降する人）の存在を検出する。センサ４は、人の存在を検出しているときに制御装置７に検出信号を出力する。なお、センサ４は、周波数変調された送信波を送信アンテナから送信させ、受信アンテナで受信する受信波と受信波を乗算して位相検波することにより、送信波を反射した物体までの距離を測距して人の存在を検出するセンサであってもよい。
【００３５】
センサ４は、箱型のケース４０と、ケース４０に収容されるセンサ本体４１と、を有する。センサ本体４１は、送信アンテナ、受信アンテナ及び信号処理回路を含む。センサ本体４１は、送信アンテナ、受信アンテナ及び信号処理回路が１枚のプリント配線板に実装されたプリント回路で構成される。
【００３６】
ケース４０は、直方体状であり、例えば、ポリスチレン、ポリプロピレン、ＡＢＳ（Ａｃｒｙｌｏｎｉｔｒｉｌｅ  Ｂｕｔａｄｉｅｎｅ  Ｓｔｙｒｅｎｅ）等の合成樹脂材料によって形成されている。センサ本体４１は、送信アンテナ及び受信アンテナがケース４０の前面４００側を向くようにケース４０内に収容されている。送信アンテナから送信される電波は、ケース４０の前面４００を通して放射され、物体に反射した電波（反射波）は、ケース４０の前面４００を通して受信アンテナに受信される。
【００３７】
センサ４は、ケース４０の前面４００を含む前部分が、器具本体２の前壁２０から前方に突出するように、前壁２０の設置孔２００に設置されている。センサ４の前部分（ケース４０の前面４００を含む前部分）は、拡散部材６よりも上方に配置されている。本実施形態では、センサ４は、ケース４０の前面４００が、下側の部分ほど後方に位置するように、前壁２０に対して傾いた姿勢で、前壁２０に対して設置されている。言い換えると、ケース４０の前面４００は、拡散部材６に近い部分ほど前壁２０からの突出長さが小さい。センサ４の前端（前面４００の上端）は、拡散部材６の前端よりも後方に位置している。センサ４のケース４０の前面４００は、拡散部材６に隣接して位置している。
【００３８】
制御装置７は、センサ４の検出結果に応じて光源ユニット３を制御する装置である。制御装置７は、センサ４が人の存在を検出していないときに光源３０から放射する照明光の光量を基準値よりも小さくし、かつ、センサ４が人の存在を検出しているときに照明光の光量を前記基準値に一致させるように光源ユニット３を制御する。
【００３９】
制御装置７は、例えば、マイクロコントローラを有している。制御装置７は、常用電源から常用点灯装置８に入力される電圧を検出することによって常用電源が停電しているか否かを判断する。制御装置７は、常用電源が停電していないと判断すれば、充電装置によって非常用電源９を充電させ、かつ、常用点灯装置８によって光源ユニット３の光源３０を点灯させる。制御装置７は、常用電源が停電していると判断すれば、充電装置による非常用電源９の充電を中止させ、かつ、非常用点灯装置１１によって非常用光源ユニット１０の光源１００を点灯させる。
【００４０】
制御装置７は、センサ４から検出信号が入力されていない場合、常用点灯装置８を制御して光源３０に供給する電流を定格値の約半分とし、センサ４から検出信号が入力されている場合、常用点灯装置８を制御して光源３０に供給する電流を定格値とする。したがって、本実施形態では、光源３０から放射する光の光量は、センサ４が人の存在を検出していないとき、センサ４が人の存在を検出しているときの約半分となる。
【００４１】
３．作用効果
以上説明した本実施形態の照明器具１では、カバー５によってセンサ４が前方から覆われている。そのため、本実施形態の照明器具１では、センサ４の露出を抑えることができて、見栄えの悪化を抑制できる。ここで、カバー５は、センサ４の電波を透過可能な材料で形成されているため、センサ４による周囲の状況の検出を邪魔しない。
【００４２】
また、本実施形態の照明器具１では、センサ４を、その前端が拡散部材６の前端よりも後方に位置するように配置し、更に、ケース４０の前面４００が拡散部材６に近い部分ほど前壁２０からの突出長さが小さくなるように配置している。そのため、本実施形態の照明器具１では、光源ユニット３の光源３０から放射され、レンズ３１及び拡散部材６を通って拡散される光の照射範囲内に、センサ４が位置することを抑制できる。これにより、本実施形態の照明器具１では、前壁２０にセンサ４を設置することで、照明器具１の照射範囲が狭まることを抑えることができる。
【００４３】
また、本実施形態の照明器具１では、ケース４０の前面４００が拡散部材６に近い部分ほど前壁２０からの突出長さが小さくなるように配置することによって、センサ４を拡散部材６に極力近付けて配置することができ、照明器具１のコンパクト化が図れる。
【００４４】
また、本実施形態の照明器具１では、センサ４の前部分が拡散部材６よりも上方に配置されているため、拡散部材６から床面へと向かう照明光がセンサ４によって遮られることなく、床面を明るく照らすことができる。
【００４５】
また、本実施形態の照明器具１では、センサ４によって周囲の人の存在を検出して、明るさを調整できるため、省エネが図れる。
【００４６】
また、本実施形態の照明器具１では、非常用電源９、非常用光源ユニット１０、及び非常用点灯装置を備えるため、停電時にも照明を行うことができて、非常灯としても利用可能である。これらの非常用の各装置は、器具本体２内に収容されているため、光源ユニット３による照明やセンサ４による検出の邪魔にならない。
【００４７】
４．変形例
以上説明した本実施形態の照明器具１は、下記の変形例を採用可能である。
【００４８】
カバー５は、図１に示す形状に限らず、例えば、図４及び図５に示す変形例のように、前板５０のみで構成してもよく、つまり、正方形の板状に形成されてもよい。この場合、カバー５は、二つの支持部１２によって器具本体２に取り付けられる。
【００４９】
二つの支持部１２の各々は、台形状の支持片１２０と、支持片１２０の前端から突出する取付片１２１と、支持片１２０の後端から突出して器具本体２に固定される固定片１２２とを有する。
【００５０】
前壁２０の左右の端部には、固定片１２２が挿入される挿入孔２０１が形成されている。二つの支持部１２は、左右一対の固定片１２２を前壁２０の左右一対の挿入孔２０１に前側から挿入して、ねじ等の固定具によって左右一対の固定片１２２を器具本体２に固定することで、器具本体２に対して取り付けられる。各支持部１２は、前壁２０の左右両端における上下方向の中央部から支持片１２０及び取付片１２１が器具本体２の前方へ突出する。
【００５１】
各取付片１２１には、後側からボルト（図示せず）が取り付けられている。カバー５の左右両端部のそれぞれには、留め具１３が通される貫通孔５００が形成されている。カバー５の各貫通孔５００に留め具１３を挿入した状態で、各取付片１２１に後側からボルトを取り付けて、各ボルトを各留め具１３に固定することで、カバー５は二つの支持部１２で支持される。
【００５２】
変形例の照明器具１では、カバー５は、器具本体２と間に、上下及び左右の各方向に開口した４つの開口部５４を形成する。光源ユニット３から放射される照明光は、カバー５と４つの開口部５４のそれぞれから出射される。
【００５３】
変形例の照明器具１においても、カバー５によってセンサ４が前方から覆われているため、センサ４の露出を抑えることができて、見栄えの悪化を抑制できる。
【００５４】
また、本実施形態及びその変形例の照明器具１は、下記の変形例を採用可能である。
【００５５】
照明器具１は、ドーム状の拡散部材６を備えなくてもよく、センサ４の前端の位置は、拡散部材６の前端の位置よりも後方に限定されない。この場合、センサ４の前部分（前壁２０よりも前方に突出した部分）は、光源ユニット３のレンズ３１を通過した光の照射範囲の外側に位置するように、配置されることが好ましい。
【００５６】
センサ４のケース４０は、前面４００が拡散部材６に近い部分ほど前壁２０からの突出長さが小さいように傾いて設置されなくてもよく、例えば、ケース４０は、前面４００が前壁２０の前面と平行となるように設置されてもよい。また、ケース４０は、前面４００が拡散部材６に近い部分ほど前壁２０からの突出長さが大きいように傾いて設置されてもよい。ただし、センサ４の前部分（前壁２０よりも前方に突出した部分）は、拡散部材６を通過した光の照射範囲の外側に位置するように、配置されることが好ましい。
【００５７】
センサ４は、前部分（前壁２０から前方に突出する部分）が拡散部材６よりも上方に配置されるように、前壁２０に設置されなくてもよく、前部分が拡散部材６よりも下方や拡散部材６の左右に配置されるように、前壁２０に対して設置されてもよい。
【００５８】
また、センサ４は、前壁２０の前面に設置されてもよく、前壁２０は、設置孔２００を有さなくてもよい。
【００５９】
センサ４は、電波を利用して周囲の状況を検出するように構成されたものに限らず、電波以外の周知の方法を用いて周囲の状況を検出するものであってもよい。この場合、カバー５の材料は、電波を透過可能な材料に限定されず、適宜選択可能である。
【００６０】
また、カバー５の材料は、光透過性を有する材料に限定されず、光透過性を有さない材料で形成されてもよい。この場合、照明器具１は、間接照明を行う器具として用いられる。
【００６１】
また、センサ４は、周囲の状況として人を検出するものに限らず、周囲の状況として明るさ等を検出するものであってもよい。
【００６２】
また、照明器具１は、非常用電源９、非常用光源ユニット１０、及び非常用点灯装置１１を備えなくてもよい。
【００６３】
また、照明器具１は、器具本体２の後面が建物の壁側を向くように、壁に取り付けられる利用形態に限定されない。例えば、照明器具１は、器具本体２の後面が天井側（つまり上方）を向くように、天井に取り付けられてもよいし、その他の形態で、建物に対して取り付けられてもよい。
【００６４】
５．まとめ
以上説明した一実施形態及びその変形例の照明器具１のように、第一態様の照明器具（１）は、下記の構成を備える。
【００６５】
すなわち、第一態様の照明器具（１）は、前壁（２０）を有する箱型の器具本体（２）と、器具本体（２）に設置され、前壁（２０）の前方に向けて照明光を放射する光源ユニット（３）と、前壁（２０）に設置されて周囲の状況を検出するセンサ（４）とを備える。第一態様の照明器具（１）は、前壁（２０）の前方に設けられ、器具本体（２）の前方から見て光源ユニット（３）及びセンサ（４）を覆うカバー（５）を更に備える。
【００６６】
上記構成を備えることで、第一態様の照明器具（１）では、器具本体（２）の前方から見たときに、センサ（４）がカバー（５）で覆われているため、センサ（４）の露出を抑えることができる。
【００６７】
また、上述した一実施形態及びその変形例の照明器具１のように、第二態様の照明器具（１）は、第一態様の照明器具（１）の構成に加えて、下記の構成を付加的に備える。
【００６８】
すなわち、第二態様の照明器具（１）は、光源ユニット（３）の前方に設けられて照明光を拡散させる拡散部材（６）を備える。拡散部材（６）は、前壁（２０）から前方に向けて突出し、かつ後方に向けて開口したドーム状に形成されている。センサ（４）の少なくとも前部分は、前壁（２０）から前方へ突出している。センサ（４）の前端は、拡散部材（６）の前端よりも後方に位置する。
【００６９】
上記構成を備えることで、第二態様の照明器具（１）では、光源ユニット（３）から放射され、拡散部材（６）を通過して拡散された照明光の照射範囲内にセンサ（４）が位置することを抑制できる。そのため、第二態様の照明器具（１）では、センサ（４）を前壁（２０）に設置することで、照明器具（１）の照射範囲が狭まることを抑制することができる。
【００７０】
また、上述した一実施形態及びその変形例の照明器具１のように、第三態様の照明器具（１）は、第二態様の照明器具（１）の構成に加えて、下記の構成を付加的に備える。
【００７１】
すなわち、第三態様の照明器具（１）では、センサ（４）は、箱型のケース（４０）と、ケース（４０）に収容されるセンサ本体（４１）と、を有する。ケース（４０）の前面（４００）は、拡散部材（６）に近い部分ほど前壁（２０）からの突出長さが小さい。
【００７２】
上記構成を備えることで、第三態様の照明器具（１）では、拡散部材（６）から放射される照明光の照射範囲内にセンサ（４）のケース（４０）が位置にくく、照明器具（１）の照射範囲が狭まることを更に抑制することができる。
【００７３】
また、上述した一実施形態及びその変形例の照明器具１のように、第四態様の照明器具（１）は、第二又は第三態様の照明器具（１）の構成に加えて、下記の構成を付加的に備える。
【００７４】
すなわち、第四態様の照明器具（１）では、器具本体（２）の後面は、建物の壁側を向く面であり、センサ（４）の前部分は、拡散部材（６）よりも上方に配置されている。
【００７５】
上記構成を備えることで、第四態様の照明器具（１）では、拡散部材（６）を通って放射される照明光が床面を照らす際に、センサ（４）が邪魔にならない。
【００７６】
また、上述した一実施形態及びその変形例の照明器具１のように、第五態様の照明器具（１）は、第一から第四態様のいずれか一つの照明器具（１）の構成に加えて、下記の構成を付加的に備える。
【００７７】
すなわち、第五態様の照明器具（１）では、センサ（４）は、電波を利用して周囲の状況を検出するように構成され、カバー（５）は、センサ（４）の電波を透過可能な材料で形成されている。
【００７８】
上記構成を備えることで、第五態様の照明器具（１）では、センサ（４）の前方にカバー（５）があることでセンサ（４）の検出精度が低下することを抑制することができる。
【００７９】
また、上述した一実施形態及びその変形例の照明器具１のように、第六態様の照明器具（１）は、第一から第五態様のいずれか一つの照明器具（１）の構成に加えて、下記の構成を付加的に備える。
【００８０】
すなわち、第六態様の照明器具（１）は、センサ（４）の検出結果に応じて光源ユニット（３）を制御する制御装置（７）を備える。センサ（４）は、周囲の状況として人の存在を検出する人感センサである。制御装置（７）は、センサ（４）が人の存在を検出していないときに照明光の光量を基準値よりも小さくし、かつ、センサ（４）が人の存在を検出しているときに照明光の光量を前記基準値に一致させるように光源ユニット（３）を制御する。
【００８１】
上記構成を備えることで、第六態様の照明器具（１）では、周囲の人の有無に応じて、光源ユニット（３）の照明光の光量を変えることができ、省エネが図れる。
【００８２】
また、上述した一実施形態及びその変形例の照明器具１のように、第七態様の照明器具（１）は、第一から第六態様のいずれか一つの照明器具（１）の構成に加えて、下記の構成を付加的に備える。
【００８３】
すなわち、第七態様の照明器具（１）は、常用電源から供給される常用電力で光源ユニット（３）を点灯させる常用点灯装置（８）と、常用電力で充電される非常用電源（９）と、を備える。第七態様の照明器具（１）は、常用電源の停電時に非常用電源（９）から供給される非常用電力で点灯する非常用光源ユニット（１０）を更に備える。常用点灯装置（８）、非常用電源（９）及び非常用光源ユニット（１０）は、器具本体（２）に収容されている。
【００８４】
上記構成を備えることで、第七態様の照明器具（１）では、停電時も点灯可能な非常灯として利用でき、また、各装置（８，９，１０）は、器具本体（２）に収容されているため、光源ユニット（３）の照明やセンサ（４）の検出の邪魔にならない。
【００８５】
また、上述した一実施形態及びその変形例の照明器具１のように、第八態様の照明器具（１）は、第七態様の照明器具（１）の構成に加えて、下記の構成を付加的に備える。
【００８６】
すなわち、第八態様の照明器具（１）は、器具本体（２）の後面は、建物の壁側を向く面であり、非常用光源ユニット（１０）は、器具本体（２）の下面から器具本体（２）の下方に向けて照明光を放射するように構成される。
【００８７】
上記構成を備えることで、第八態様の照明器具（１）では、停電時に、建物の床面を非常用光源ユニット（１０）によって照らすことができる。
【００８８】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００８９】
１      照明器具
２      器具本体
２０    前壁
３      光源ユニット
４      センサ
４０    ケース
４００  前面
４１    センサ本体
５      カバー
６      拡散部材
７      制御装置
８      常用点灯装置
９      非常用電源
１０    非常用光源ユニット
【図１】
2020161421.tif 000003
【図２】
2020161421.tif 000004
【図３】
2020161421.tif 000005
【図４】
2020161421.tif 000006
【図５】
2020161421.tif 000007